(57)【要約】　　　（修正有）【課題】取付けが容易で適正に開閉することができる排水口用水栓装置を提供する。【解決手段】水槽１の排水口１１の口縁に固定されて該排水口を遮蔽し、排水用通孔２４が穿設された排水盤２と、押え部５１と、弁体５３とから成る密閉蓋５と、上方に開口した中空台座４１と、移動自在にして押え部５１を介して押圧されることにより、弁体５３を、開き位置から閉じ位置又はその逆に移動させて位置決めする駆動ブロック４２とを有する位置決め機構４とから構成される。【選択図】図１
0003097930.tif 000002
【実用新案登録請求の範囲】
【請求項１】
水槽の排水口に取付けられ、該排水口を開閉する水栓装置であって、
前記排水口の口縁に固定されてその本体で該排水口を遮蔽し、且つ前記本体に排水用通孔が穿設された排水盤と、
押え部と、前記排水盤の前記排水用通孔を開閉する弁体とを有する密閉蓋と、前記排水盤に固定され且つ上方に開口した中空台座と、前記中空台座の開口から突出する方向及びその逆の方向に移動自在にして前記中空台座に収容され、前記密閉蓋の押え部を介して押圧されることにより、前記密閉蓋の弁体を、開き位置又は閉じ位置から閉じ位置又は開き位置に移動させて該位置で位置決めする駆動ブロックとを有する位置決め機構と、
を備えたことを特徴とする排水口用水栓装置。
【請求項２】
前記位置決め機構は、前記中空台座内に収容され、且つ、前記中空台座の開口から突出する前記駆動ブロックの上端への押圧に対して前記駆動ブロックに該押圧に反発する付勢力を与える付勢手段と、前記中空台座から突出し且つ左右に移動可能に配設されるピンとを備え、
該ピンが摺動するカム溝によって前記駆動ブロックの側面にハート形のループ部が形成され、
前記ループ部は、該ループ部の下端に位置し且つ下向きに凹陥する第１の死点と、該第１の死点の上方に位置し且つ下向きに凹陥する第３の死点と、前記第１及び第３の死点を結ぶ線の両側に位置し且つ上向きに凹陥する第２及び第４の死点とを備え、前記駆動ブロックの上下動に伴って前記カム溝における各凹陥面に対向する面によって前記ピンを案内して、該ピンを第１、第２、第３、第４の死点を通過するようにカム溝内を循環させるように構成され、
前記弁体が開く位置にあるとき、前記ピンは前記ループ部の第１の死点に位置し、この状態で前記駆動ブロックを押圧して前記中空台座内に移動させることにより、前記ピンは前記第２の死点まで移動し、該押圧力を解除すると、前記付勢手段の付勢力によって前記駆動ブロックが上方に移動することにより、前記ピンは前記第３の死点まで移動して前記弁体が閉じる位置で前記密閉蓋が位置決めされ、
前記弁体が閉じる位置にあるとき、前記駆動ブロックを押圧して中空台座内に移動させることにより、前記ピンは前記ループ部の前記第３の死点から前記第４の死点まで移動し、該押圧力を解除すると、前記付勢手段の付勢力によって前記駆動ブロックが上方に移動することにより、前記ピンは前記第１の死点まで移動して前記弁体が開く位置で前記密閉蓋が位置決めされるように構成されていることを特徴とする請求項１に記載の排水口用水栓装置。
【請求項３】
前記中空台座及び前記駆動ブロックは、いずれも、断面が四角形であり、前記カム溝と前記ピンは、それぞれ前記駆動ブロックの左右両側に対称的に設けられていることを特徴とする請求項２に記載の排水口用水栓装置。
【請求項４】
前記排水盤は、断面が略Ｕ字形であって、
該Ｕ字形の底部となっている前記本体と、
前記本体の周縁から上へ延伸してなる周壁と、
前記排水盤の前記周縁部として前記周壁の上端縁に設けられて、前記水槽内の前記排水口の周りの水槽面に掛けられる外フランジとを有し、
前記中空台座は、前記本体の略中央位置に固定され、前記排水盤の複数の排水用通孔は、前記中空台座の周りに形成されたことを特徴とする請求項１から３のいずれかに記載の排水口用水栓装置。
【請求項５】
前記排水盤と前記排水口との間に、水槽の水が前記外フランジと前記水槽壁面との間の隙間を経由して前記排水口に流入するのを防止するシールリングを設け、
前記密閉蓋は、下面の中央部が前記駆動ブロックの上端と係合され、且つ、前記下面から下へ延伸してなる円環部を有する円盤状の前記押え部と、
上部分が前記円環部に内嵌され、且つ、下部分に外フランジが形成された固定環と、
上部材が前記円環部と前記固定環の外フランジとの間に挟持されることにより前記固定環の前記下部分の周りに配設され、且つ、下部材が前記上部材からカーブ状に延設されてなる弾性変形可能な前記弁体と、を備え、
前記弁体を開いたときは、該弁体と前記排水盤の周縁部との間に隙間が形成されて該隙間から前記排水盤の排水用通孔を通って排水され、前記弁体が閉じたときは、前記弁体が弾性変形して前記排水盤の周縁部に密着して止水とすることを特徴とする請求項１から４のいずれかに記載の排水口用水栓装置。
【考案の詳細な説明】
【０００１】
【考案の属する技術分野】
本考案は、排水口用水栓装置に関し、特に例えば浴槽、洗面台などの水槽の排水口に取付けられ、該排水口を開閉する水栓装置に関する。
【０００２】
【従来の技術】
従来の排水口用水栓装置は、チェーン付きゴム栓とポップアップ式水栓との２種類がよく知られている。前記チェーン付きゴム栓は、その一端が浴槽または洗面台の壁面に固定されるチェーンと、前記チェーンの他端に固定されているゴム栓とからなり、前記ゴム栓を浴槽または洗面台の排水口に着脱させることにより、排水口の開閉を制御できるようになっている。しかしながら、このような水栓装置は、前記ゴム栓が人の不注意で適正な位置に置かれなかったりして排水口が完全に塞がれ場合には、貯水等の水が排水口から流れ出るという問題があった。
【０００３】
前記ポップアップ式水栓は、主として、洗面台または浴槽の例えば熱水ハンドルと冷水ハンドルとの間に取付けられる引きレバーと、排水口に取付けられ、前記引きレバーの上下動に連動して昇降し、該排水口を開閉する密閉蓋とを備える（例えば、特許文献１参照）。前記ポップアップ式水栓が取り付けられている洗面台または浴槽は、一般には、前記引きレバーを引き上げると、前記密閉蓋が下降して前記排水口を閉め、前記引きレバーを押し下げると、前記密閉蓋が上昇して前記排水口を開ける。しかしながら、このような水栓装置は、構成が複雑で、洗面台または浴槽への取付けがかなり面倒になるという問題があった。
【０００４】
【特許文献１】
実開平６−８５４６８公報（全頁、全図）
【０００５】
【考案が解決しようとする課題】
上記に鑑みて、本考案の目的は、浴槽または洗面台への取付けが容易である上、従来のチェーン付きゴム栓のように不注意によって水漏れを生じる問題が解消される排水口用水栓装置を提供しようとすることにある。
【０００６】
【課題を解決するための手段】
上記目的を達成するために、考案者は、水槽の排水口に取付けられ、該排水口を開閉する水栓装置であって、前記排水口の口縁に固定されてその本体で該排水口を遮蔽し、且つ前記本体に排水用通孔が穿設された排水盤と、押え部と、前記排水盤の前記排水用通孔を開閉する弁体と、を備えた密閉蓋と、前記排水盤に固定され且つ上方に開口した中空台座と、前記中空台座の開口から突出する方向及びその逆の方向に移動自在にして前記中空台座に収容され、前記密閉蓋の押え部を介して押圧されることにより、前記密閉蓋の弁体を、開き位置又は閉じ位置から閉じ位置又は開き位置に移動させて該位置で位置決めする駆動ブロックとを有する位置決め機構と、を備えたことを特徴とする排水口用水栓装置を提供する。
【０００７】
この構成による水栓装置は、前記排水盤を排水口の口縁に固定するだけで、浴槽または洗面台などの水槽上に取付けることができるので、取付け作業が極めて楽になる。また、前記駆動ブロックの押圧のみによって前記排水口の開閉を適正に制御することができるので、従来のチェーン付きゴム栓のように不注意で水漏れするという問題は生じない。
【０００８】
【考案の実施の形態】
以下、本考案の排水口用水栓装置の好ましい実施形態を詳しく説明する。図１は、該排水口用水栓装置が浴槽または洗面台などの水槽の排水口に取付けられた場合を示す一部断面図であり、図２は、該排水口用水栓装置の分解斜視図である。図１のように、本考案の水栓装置は、水槽１の排水口１１の口縁に固定されてその本体で該排水口１１を遮蔽する排水盤２と、排水盤２と排水口１１との間に設けられるシールリング３と、排水盤２上に設けられている位置決め機構４と、位置決め機構４の上方に設けられていて排水口１１を密閉する密閉蓋５とを備えている。
【０００９】
次に、図２を参照しながらこの実施形態を更に詳しく説明すると、排水盤２は、断面が略Ｕ字形であり、該Ｕ字形の底部となっている本体２１と、本体２１の周縁から上へ延伸してなる周壁２２と、排水盤２の周縁部として周壁２２の上端縁から径方向に外へ張出して水槽１内の排水口１１の周りの水槽面１２に掛けられる外フランジ２３とからなっている。また、位置決め機構４は、本体２１の略中央位置に配置されており、本体２１の位置決め機構４の周りには、複数の排水用通孔２４が形成されている。シールリング３は、水槽１の水が外フランジ２３と水槽壁面１２との間の隙間を経由して排水口１１に流入することを防止するものであり、排水盤２の周壁２２の外側の外フランジ
２３寄りの部分に設けられている。
【００１０】
そして、位置決め機構４は、図２及び図３に示すように、排水盤２の本体２１の略中央位置に固定されている断面四角形の中空台座４１と、中空台座４１内に上下移動可能に収容されている断面四角形の駆動ブロック４２と、中空台座４１内の駆動ブロック４２の下方に収容されていて、駆動ブロック４２を上方に付勢するばね等の付勢手段４３と、中空台座４１の左右両側から駆動ブロック４２の後述するカム溝４２１内に突出し、且つ、カム溝４２１によって形成されるハート形のループ部４２Ａの幅方向に移動可能に配設される一対のピン４４，４４とからなっている。本実施形態において、一対のピン４４，４４は、ばねによって駆動ブロック４２に向けて付勢されている。
【００１１】
図２及び図３に示すように、中空台座４１の内部には、中空台座４１の上下両端部を貫通し、且つその周面に段部４１１１を有する収容空間４１１が形成されている。段部４１１１は、駆動ブロック４２が上方に抜けるのを防止するものである。また、中空台座４１の左右両側の上端部には、それぞれ、収容空間４１１の段部４１１１以上の部分と連通し、且つ、横方向に長くなった蓋４５，４５付き案内口４１２，４１２が設けられている。
【００１２】
駆動ブロック４２のうち中空台座４１の左右両側と対応する両側部には、それぞれカム溝４２１，４２１が形成されている。一対のピン４４，４４は、それぞれ排水盤２の蓋付き案内口４１２，４１２内に設けられて排水盤２のカム溝４２１，４２１内に突出している。
【００１３】
更に詳しく説明すると、駆動ブロック４２は、中空台座４１の収容空間４１１内に配設され、その上端は中空台座４１の上開口から突出するようになっている。また、駆動ブロック４２の上端が上方から押圧されることにより、中空台座４１の上開口から突出する方向及びその逆の方向に移動して密閉蓋５の弁体５３を、開き位置又は閉じ位置から閉じ位置又は開き位置に移動させて該位置で位置決めする。
【００１４】
駆動ブロック４２のカム溝４２１，４２１によって形成されるループ部４２Ａは、図４のように該ループ部４２Ａの下端に位置し且つ下向きに凹陥する第１の死点Ａと、該第１の死点Ａの上方に位置し且つ下向きに凹陥する第３の死点Ｃと、前記第１の死点Ａと第３の死点Ｃとを結ぶ線の両側に位置し且つ上向きに凹陥する第２の死点Ｂ及び第４の死点Ｄとを備え、駆動ブロック４２の上下動に伴ってカム溝４２１，４２１における各凹陥面Ａ１，Ｂ１，Ｃ１，Ｄ１に対向する面によってピン４４を案内して、該ピン４４を第１、第２、第３、第４の死点Ａ，Ｂ，Ｃ，Ｄを通過するようにカム溝４２１内を循環させるように構成されている。
【００１５】
また、駆動ブロック４２のカム溝４２１は、駆動ブロック４２の下端寄りの第１の死点Ａから上端へ一側を回って第２の死点Ｂまで延伸してなる第１の部分４２２と、第２の死点Ｂから他側の方へ急カーブで回って下端へ戻るように第３の死点Ｃまで延伸してなる第２の部分４２３と、第３の死点Ｃから更に他側へ急カーブで上端へ回って第４の死点Ｄまで延伸してなる第３の部分４２４と、第４の死点Ｄから急カーブで下端へ戻るように他側を回って第１の死点Ａまで延伸してなる第４の部分４２５と、の四つの部分からなっている。
【００１６】
密閉蓋５は、図２及び図３に示すように、その下面の中央部５１１が駆動ブロック４２の上端と係合され、且つ、前記下面から下へ延伸してなる円環部５１２を有する円盤状の押え部５１と、上部分５３１が円環部５１２に内嵌され、且つ、下部分５３２に外フランジ５２１が形成された固定環５２と、上部材５３１が円環部５１２と固定環５２の外フランジとの間に挟持されることにより固定環５２の下部分５３２の周りに配設され、且つ、下部材５３２が上部材５３１からカーブ状に延設されてなる弾性変形可能な前記弁体５３とからなっている。
【００１７】
駆動ブロック４２が図３及び図５のような排水位置にあるとき、一対のピン４４，４４がカム溝４２１の第１の死点Ａに位置し、駆動ブロック４２の底部が中空台座４１内の段部４１１１に当接し、密閉蓋５の弁体５３の下部材５３２と排水盤２の外フランジ２３との間に隙間６が開いている。このとき、水槽１内の水は隙間６を経由して排水盤２内に流れ、更に排水盤２の複数の排水用通孔２４を経由して排水することができる。また、図３及び図５のような排水状態で、密閉蓋５の押え部５１が押圧されると、駆動ブロック４２が中空台座５１内へ移動して一対のピン４４，４４がカム溝４２１の第１の部分４２２に沿って第２の死点Ｂまで移動する。該押圧が解除されると、付勢手段４３の付勢力により駆動ブロック４２が戻り、一対のピン４４，４４はカム溝４２１の第２の部分４２３に沿って第３の死点Ｃまで移動し、駆動ブロック４２は図６のような封水位置で位置決めされる。即ち、駆動ブロック４２が図６のような封水位置にあるとき、密閉蓋５の弁体５３は、隙間６が密閉されるように排水盤２の外フランジ２３に弾性変形して当接することにより、水の排水盤２内への流れまたは漏れを阻止することができる。
【００１８】
駆動ブロック４２が図６のような封水位置にある状態で、密閉蓋５の押え部５１が再び押圧されると、駆動ブロック４２は中空台座４１内へ移動することにより一対のピン４４，４４がカム溝４２１の第３の部分４２４に沿って第４の死点Ｄまで移動し、該押圧力を解除すると、付勢手段４３の付勢力により駆動ブロック４２が戻ることによって一対のピン４２，４２がカム溝４２１の第４の部分４２５に沿って第１の死点Ａまで移動して、駆動ブロック４２が図５のような排水位置で位置決めされる。このように、密閉蓋５の押え部５１の一回の押圧操作のみによって、水栓装置の弁体５３を、排水可能な状態又は排水不能な止水状態から止水状態又は排水可能な状態にその位置を変えることができる。
【００１９】
【考案の効果】
本考案の排水口用水栓装置は、浴槽または洗面台などの水槽の排水口への取付けが容易である上、該排水口を簡単且つ適正に開閉することができる。
【００２０】
以上説明した実施の形態は、あくまでも本考案の技術的内容を明らかにする意図のものにおいてなされたものであり、本考案はそうした具体例に限定して狭義に解釈されるものではなく、本考案の精神とクレームに述べられた範囲で、いろいろと変更して実施できるものである。
【図面の簡単な説明】
【図１】本考案の排水口用水栓装置の好ましい実施形態を水槽の排水口に取付けた状態を示す断面図である。
【図２】前記実施形態の分解斜視図である。
【図３】前記実施形態における駆動ブロックが排水位置に位置決めされた状態を示す正断面図である。
【図４】前記実施形態におけるカム溝の説明図である。
【図５】前記実施形態における駆動ブロックが排水位置に位置決めされた状態を示す側断面図である。
【図６】前記実施形態における駆動ブロックが止水位置に位置決めされた状態を示す側断面図である。
【符号の説明】
１．．．水槽
１１．．．排水口
１２．．．水槽面
２．．．排水盤
２１．．．本体
２２．．．周壁
２３．．．外フランジ（周縁部）
２４．．．排水用通孔
３．．．シールリング
４．．．位置決め機構
４１．．．中空台座
４１１．．．収容空間
４１１１．．．段部
４１２．．．蓋付き案内口
４２．．．駆動ブロック
４２１．．．カム溝
４２２．．．第１の部分
４２３．．．第２の部分
４２４．．．第３の部分
４２５．．．第４の部分
４３．．．付勢手段
４４．．．ピン
４５．．．案内口の蓋
５．．．密閉蓋
５１．．．押え部
５１１．．．中心部
５１２．．．円環部
５２．．．固定環
５２１．．．外フランジ
５３．．．弁体
５３１．．．上部材
５３２．．．下部材
６．．．隙間
【図１】
0003097930.tif 000003
【図２】
0003097930.tif 000004
【図３】
0003097930.tif 000005
【図４】
0003097930.tif 000006
【図５】
0003097930.tif 000007
【図６】
0003097930.tif 000008